(57)【要約】【課題】  使用者がデジタル放送受信装置によってＥＰＧの表示を要求したりデータ放送のコンテンツの表示を得ようとする場合に、装置の起動操作後速やかに該当する表示がなされ得るデジタル放送受信装置を提供する。【解決手段】  第１システムコントローラ２４０は、選局復調部２２０に本デジタル放送受信装置が受信待機モードにあるときにも常時継続的に選局復調処理を行なわせてデータ放送コンテンツ及びＥＰＧデータを取得させテーブル形式に編成しＨＤＤ等の記憶装置２３０に蓄積させ、ＥＰＧ（番組表）やデータ放送のサービスに係るコンテンツの表示を要求された場合、記憶装置２３０に蓄積された該当するデータを検索し速やかに表示器５００における表示に供され得るように出力する。【選択図】  図１
2006262089.tif 000002
【特許請求の範囲】
【請求項１】
受信されたデジタル放送を選局処理する選局制御部と、前記選局制御部での選局処理によって生成されたデータに基づいて所定の表示器に表示可能な態様のデータを生成する表示処理部とを備えたデジタル放送受信装置であって、前記選局制御部は、使用者による操作を受け付ける操作受付部と、供給された選局指令に応じて選局復調処理を行う選局復調部と、前記操作受付部で受け付けた選局操作を含む操作に応じて前記選局指令を生成して選局復調部に供給すると共に前記選局復調部によって得たデータのうち所定のデータを記憶装置に蓄積させる制御を行う一のシステムコントローラとを含んで構成され、前記システムコントローラは前記選局復調部に当該デジタル放送受信装置が受信待機モードにあるときにも常時継続的に選局復調処理を行なわせてデータ放送コンテンツ及びＥＰＧデータを取得させ且つ該取得されたデータ放送コンテンツ及びＥＰＧデータを前記記憶装置に蓄積させる制御を行うように構成されていることを特徴とするデジタル放送受信装置。
【請求項２】
前記選局復調部は、前記システムコントローラから供給される各選局指令に応じて相互に独立して選局復調動作を行うことが可能な複数の選局復調機能部を含んで構成されていることを特徴とする請求項１に記載のデジタル放送受信装置。
【請求項３】
前記システムコントローラは、所定期間に前記操作受付部で受け付けた選局操作に係る選局の頻度の高さの順位に応じて上位の所定数の順位に該当する選局の各局のサービスに係るデータ放送コンテンツを前記選局復調部に取得させ該取得に係るデータ放送コンテンツを前記記憶装置に蓄積させるように制御することを特徴とする請求項１に記載のデジタル放送受信装置。
【請求項４】
前記システムコントローラは、自己に供給されるデータ要求指令に応答して、前記記憶装置に蓄積されたデータ放送コンテンツのうち該当する選局に係る最新のデータを検索して出力するように前記記憶装置を制御することを特徴とする請求項１に記載のデジタル放送受信装置。
【請求項５】
前記システムコントローラは、前記選局復調部に取得させたデータ放送コンテンツに係るＤＳＭ−ＣＣを解析して、該当する放送局を表すデータ、タイムスタンプ、及び、データコンテンツを含む各データをテーブル形式のデータ放送テーブルとして編成するように前記記憶装置に蓄積させるように制御することを特徴とする請求項１に記載のデジタル放送受信装置。
【請求項６】
前記システムコントローラは、前記選局復調部に取得させたデータ放送コンテンツに係るＤＳＭ−ＣＣを解析して、該当する放送局を表すデータ、タイムスタンプ、及び、データコンテンツを含む各データをテーブル形式のデータ放送テーブルとして編成するように前記記憶装置に蓄積させ、且つ、該蓄積されたデータ放送テーブルのデータ量が所定容量を超過するときには蓄積された時間が相対的に先行しているデータから順に消去するように前記記憶装置を制御することを特徴とする請求項１に記載のデジタル放送受信装置。
【請求項７】
前記システムコントローラは、前記選局復調部に取得させたＥＰＧデータをテーブル形式のＥＰＧテーブルとして編成するように前記記憶装置に蓄積させるように制御することを特徴とする請求項１に記載のデジタル放送受信装置。
【請求項８】
前記システムコントローラは、前記選局復調部に取得させたＥＰＧデータをテーブル形式のＥＰＧテーブルとして編成するように前記記憶装置に蓄積させ、且つ、該蓄積されたＥＰＧテーブルのデータのうち一定期間を経過するデータを消去するように前記記憶装置を制御することを特徴とする請求項１に記載のデジタル放送受信装置。
【請求項９】
前記システムコントローラは、前記選局復調部に取得させたＥＰＧデータをテーブル形式のＥＰＧテーブルとして編成するように前記記憶装置に蓄積させ、且つ、該蓄積されたＥＰＧテーブルのデータを自己に供給される検索要求指令に応答して検索し該当するＥＰＧデータを出力するように前記記憶装置を制御することを特徴とする請求項１に記載のデジタル放送受信装置。
【請求項１０】
前記システムコントローラは、前記選局復調部に取得させたＥＰＧデータをテーブル形式のＥＰＧテーブルとして編成するように前記記憶装置に蓄積させ、且つ、該蓄積された前記ＥＰＧテーブルのデータのうち一定期間を経過するデータを消去すると共に、イベントＩＤに関して前記ＥＰＧテーブルを検索し該検索の結果イベントＩＤが一致するデータについては更新しイベントＩＤが一致しないデータについては新規に登録するように前記記憶装置を制御することを特徴とする請求項１に記載のデジタル放送受信装置。
【発明の詳細な説明】
【技術分野】
【０００１】
本発明は、例えばデジタルテレビ受像機のようなデジタル放送受信装置に関し、より詳細には、起動後速やかにデータ放送やＥＰＧが映出されるようにしたデジタル放送受信装置に関する。
【背景技術】
【０００２】
近年、デジタル放送に関するＥＰＧ（Electronic Program Guide：電子番組ガイド）取得機能を搭載したデジタルテレビ受像機或いはＰＶＲ（Personal Video Recorder）等のデジタル放送受信装置が普及しつつある。ＥＰＧによる番組表を形成して表示するには装置が起動してから一定の時間に亘ってＥＰＧを形成するためのデータを蓄積し編成して所定の様式により表示することになるため、装置の起動からこのＥＰＧの表示が得られるまでには相応の時間待機しなくてはならない。
【０００３】
このような待機の時間を短縮するための技術も提案されている。一つの提案では、デジタル放送受信でＥＩＴ（Event Information Table）を受信した際に、一定の時間帯のセグメントが空きであることが検出された場合、空きである意の情報を記録しておくことによって、空きセグメントが含まれる時間帯のＥＰＧによる番組表を要求された場合、当該空きセグメントを再受信することなく、その空きセグメントに先行するものであって最も近い空きでないセグメントを受信することによって、先行するセグメントの時間帯から空きセグメントがある時間帯までの放送番組情報を取得することにより、ＥＰＧによる番組表の表示にかかる時間を短縮するというものである（特許文献１参照）。
【０００４】
特許文献１における他の提案では、ＥＩＴの番組情報を番組単位ではなくセグメント単位で保持しておき、ある時間帯のＥＰＧ（番組表）を要求された場合、その時間帯に対応するセグメントが保持されているか否かを判別して、保持されていないセグメントのＥＩＴのみ受信することによって、ＥＰＧの表示にかかる時間を短縮するというものである。
【特許文献１】特開平１０−１７４０１１号公報（段落００５４、段落００５５、図４、図５）
【発明の開示】
【発明が解決しようとする課題】
【０００５】
上述した特許文献１における一の提案のような技術では、何れにしろ、装置を起動させてから一定時間以上経過しないと、欠落のないＥＰＧによる番組表を編成するに足るデータを取得することができない。また、同文献における他の提案のようにＥＩＴの番組情報を番組単位ではなくセグメント単位で保持しておく技術では、セグメント単位、即ち、3時間に亘る時間を番組の時間管理の単位とするものとなりＥＰＧ（番組表）を要求された時間帯が特定の時間帯に該当する場合はともかく、そうでない場合はＥＰＧによる番組表の表示にかかる時間を短縮することが難しい。
【０００６】
また、近年、ＢＳ（Broadcasting Satellite）放送やＣＳ（Communications Satellite）放送、或いは、地上波放送により不特定多数の受信者向けにニュースや天気予報、交通情報等のデータを送出するデータ放送のサービスが開始され、普及が見込まれている。また、データ放送とインターネットを組み合わせた双方向型サービスも本格化してきている。このようなデータ放送についても、使用者がデジタル放送受信装置を起動させてから速やかにそのコンテンツが画面に表示されることが要請される。しかしながら、このような要請に十分に応えるための提案はなされていない。
【０００７】
本発明は叙上のような状況に鑑みてなされたものであり、使用者がデジタル放送受信装置によってＥＰＧによる番組表の表示を要求し、或いは、データ放送のサービスに係るコンテンツの表示を得ようとする場合に、装置の起動操作後速やかに該当する表示がなされ得るデジタル放送受信装置を提供することを目的としている。
【課題を解決するための手段】
【０００８】
上記課題を解決するべく、本願では次に列記するような技術を提案する。
（１）受信されたデジタル放送を選局処理する選局制御部と、前記選局制御部での選局処理によって生成されたデータに基づいて所定の表示器に表示可能な態様のデータを生成する表示処理部とを備えたデジタル放送受信装置であって、前記選局制御部は、使用者による操作を受け付ける操作受付部と、供給された選局指令に応じて選局復調処理を行う選局復調部と、前記操作受付部で受け付けた選局操作を含む操作に応じて前記選局指令を生成して選局復調部に供給すると共に前記選局復調部によって得たデータのうち所定のデータを記憶装置に蓄積させる制御を行う一のシステムコントローラとを含んで構成され、前記システムコントローラは前記選局復調部に当該デジタル放送受信装置が受信待機モードにあるときにも常時継続的に選局復調処理を行なわせてデータ放送コンテンツ及びＥＰＧデータを取得させ且つ該取得されたデータ放送コンテンツ及びＥＰＧデータを前記記憶装置に蓄積させる制御を行うように構成されていることを特徴とするデジタル放送受信装置。
【０００９】
上記（１）のデジタル放送受信装置では、選局制御部によって受信されたデジタル放送を選局処理し、該選局処理によって生成されたデータ（ＴＳ：トランスポートストリーム）に基づいて表示処理部で所定の表示器に表示可能な態様のデータを生成する。
ここに、選局制御部は、使用者による操作を受け付ける操作受付部と、供給された選局指令に応じて選局復調処理を行ってＴＳを生成する選局復調部と、操作受付部で受け付けた選局操作を含む操作に応じて当該選局指令を生成して選局復調部に供給すると共にこの選局復調部によって得たデータのうち所定のデータを（比較的大容量で不揮発性の、例えばハードディスクのような）記憶装置に蓄積させる制御を行う一のシステムコントローラとを含んで構成される。
【００１０】
この一のシステムコントローラは、選局復調部に本デジタル放送受信装置が受信待機モードにあるときにも常時継続的に選局復調処理を行なわせてデータ放送コンテンツ及びＥＰＧデータ（ＥＰＧによる番組表を編成するための基礎となるデータ）を取得させ且つ該取得されたデータ放送コンテンツ及びＥＰＧデータを上述のような記憶装置に蓄積させる制御を行う。
【００１１】
ＥＰＧ（番組表）を要求された場合、或いは、データ放送のサービスに係るコンテンツの表示を要求された場合、記憶装置に蓄積された該当するデータを検索し速やかに表示に供され得るように出力する。このため、ＥＰＧによる番組表の表示やデータ放送のサービスに係るコンテンツの表示が、使用者によるこれらの表示を要求する操作後速やかに行われ得ることになる。
尚、本デジタル放送受信装置全体としては上述の一のシステムコントローラの他にこれと連携動作する他のシステムコントローラを含む構成を採用し得る。
【００１２】
（２）前記選局復調部は、前記システムコントローラから供給される各選局指令に応じて相互に独立して選局復調動作を行うことが可能な複数の選局復調機能部を含んで構成されていることを特徴とする（１）に記載のデジタル放送受信装置。
上記（２）のデジタル放送受信装置では（１）のデジタル放送受信装置による作用において特に、相互に独立して選局復調動作を行うことが可能な複数の選局復調機能部を備えた、所謂ダブルチューナ或いはマルチチューナの構成によって、これら複数のうちの一の選局復調機能部によって選局された番組を視聴中であっても、他の選局復調機能部の出力に基づいて継続的に選局復調処理を行なわせてデータ放送コンテンツ及びＥＰＧデータを取得して記憶装置に蓄積することができる。
【００１３】
（３）前記システムコントローラは、所定期間に前記操作受付部で受け付けた選局操作に係る選局の頻度の高さの順位に応じて上位の所定数の順位に該当する選局の各局のサービスに係るデータ放送コンテンツを前記選局復調部に取得させ該取得に係るデータ放送コンテンツを前記記憶装置に蓄積させるように制御することを特徴とする（１）に記載のデジタル放送受信装置。
上記（３）のデジタル放送受信装置では（１）のデジタル放送受信装置による作用において特に、選局の頻度が相対的に高い各局のサービスに係るデータ放送コンテンツを優先的に選局復調部に取得させ該取得に係るデータ放送コンテンツを前記記憶装置に蓄積させることができ、記憶装置に蓄積可能なデータ量に限りがあっても、或いはまた、各局のサービスに係るデータ放送コンテンツの取得を時分割的に行う場合にカバーし得るサービスの種類に限りがある場合であっても、使用者の選局傾向によく適合したデータを収集して蓄積することが可能になる。
【００１４】
（４）前記システムコントローラは、自己に供給されるデータ要求指令に応答して、前記記憶装置に蓄積されたデータ放送コンテンツのうち該当する選局に係る最新のデータを検索して出力するように前記記憶装置を制御することを特徴とする（１）に記載のデジタル放送受信装置。
上記（４）のデジタル放送受信装置では（１）のデジタル放送受信装置による作用において特に、使用者の所望に応じた時点での選局とデータ要求操作に最も近接した時点からのデータ放送コンテンツがシステムコントローラによる制御下で記憶装置から検索して出力される。このため、当該操作に速やかに応答するようにデータ放送コンテンツが表示され且つ表示されるデータ放送コンテンツは操作時点からの遅延時間が極小のものとなる。
【００１５】
（５）前記システムコントローラは、前記選局復調部に取得させたデータ放送コンテンツに係るＤＳＭ−ＣＣを解析して、該当する放送局を表すデータ、タイムスタンプ、及び、データコンテンツを含む各データをテーブル形式のデータ放送テーブルとして編成するように前記記憶装置に蓄積させるように制御することを特徴とする（１）に記載のデジタル放送受信装置。
上記（５）のデジタル放送受信装置では（１）のデジタル放送受信装置による作用において特に、システムコントローラは、選局復調部に取得させたデータ放送コンテンツに係るＤＳＭ−ＣＣを解析して、該当する放送局を表すデータ、タイムスタンプ、及び、データコンテンツを含む各データをテーブル形式のデータ放送テーブルとして編成するようにして記憶装置に蓄積させる。記憶装置に蓄積されたデータの検索が容易であり使用者の所望に応じた時点での選局とデータ要求操作に即応し易い。
【００１６】
（６）前記システムコントローラは、前記選局復調部に取得させたデータ放送コンテンツに係るＤＳＭ−ＣＣを解析して、該当する放送局を表すデータ、タイムスタンプ、及び、データコンテンツを含む各データをテーブル形式のデータ放送テーブルとして編成するように前記記憶装置に蓄積させ、且つ、該蓄積されたデータ放送テーブルのデータ量が所定容量を超過するときには蓄積された時間が相対的に先行しているデータから順に消去するように前記記憶装置を制御することを特徴とする（１）に記載のデジタル放送受信装置。
上記（６）のデジタル放送受信装置では（１）のデジタル放送受信装置による作用において特に、システムコントローラは、選局復調部に取得させたデータ放送コンテンツに係るＤＳＭ−ＣＣを解析して、該当する放送局を表すデータ、タイムスタンプ、及び、データコンテンツを含む各データをテーブル形式のデータ放送テーブルとして編成するようにして記憶装置に蓄積させる。
【００１７】
更に、該蓄積されたデータ放送テーブルのデータ量が所定容量を超過するときには蓄積された時間が相対的に先行しているデータから順に消去するように記憶装置を制御する。このため、記憶装置に蓄積されたデータの検索が容易であり使用者の所望に応じた時点での選局とデータ要求操作に即応でき、且つ、相対的に古いデータから消去するため記憶装置の限られた記憶容量を有効に活用して使用者の操作時点に相対的に近い時点で取得した情報を優先的に残して利用に供することができる。
【００１８】
（７）前記システムコントローラは、前記選局復調部に取得させたＥＰＧデータをテーブル形式のＥＰＧテーブルとして編成するように前記記憶装置に蓄積させるように制御することを特徴とする（１）に記載のデジタル放送受信装置。
上記（７）のデジタル放送受信装置では（１）のデジタル放送受信装置による作用において特に、システムコントローラは、選局復調部に取得させたＥＰＧデータをテーブル形式のＥＰＧテーブルとして編成するようにして記憶装置に蓄積させる。記憶装置に蓄積されたＥＰＧデータの検索が容易であり使用者の所望に応じた時点でのＥＰＧによる番組表の表示要求に即応し易い。
【００１９】
（８）前記システムコントローラは、前記選局復調部に取得させたＥＰＧデータをテーブル形式のＥＰＧテーブルとして編成するように前記記憶装置に蓄積させ、且つ、該蓄積されたＥＰＧテーブルのデータのうち一定期間を経過するデータを消去するように前記記憶装置を制御することを特徴とする（１）に記載のデジタル放送受信装置。
上記（８）のデジタル放送受信装置では（１）のデジタル放送受信装置による作用において特に、システムコントローラは、選局復調部に取得させたＥＰＧデータをテーブル形式のＥＰＧテーブルとして編成するようにして記憶装置に蓄積させる。更に、蓄積されたＥＰＧテーブルのデータのうち一定期間を経過するデータを消去させる。記憶装置に蓄積されたＥＰＧデータの検索が容易であり使用者の所望に応じた時点でのＥＰＧによる番組表の表示要求に即応し易く、一定期間を経過したＥＰＧテーブルのデータは自動的に消去されるため、記憶装置の限られた記憶容量を有効に活用して利用の蓋然性が高いＥＰＧデータを優先的に蓄積しておくことが可能になる。
【００２０】
（９）前記システムコントローラは、前記選局復調部に取得させたＥＰＧデータをテーブル形式のＥＰＧテーブルとして編成するように前記記憶装置に蓄積させ、且つ、該蓄積されたＥＰＧテーブルのデータを自己に供給される検索要求指令に応答して検索し該当するＥＰＧデータを出力するように前記記憶装置を制御することを特徴とする（１）に記載のデジタル放送受信装置。
【００２１】
上記（９）のデジタル放送受信装置では（１）のデジタル放送受信装置による作用において特に、システムコントローラは、選局復調部に取得させたＥＰＧデータをテーブル形式のＥＰＧテーブルとして編成するようにして記憶装置に蓄積させる。更に、蓄積されたＥＰＧテーブルのデータを、当該選局制御部で生成されたＴＳのデータを処理するように設けられたデータ処理部などから供給される検索要求指令に応答して検索し該当するＥＰＧデータを出力するように記憶装置を制御する。
【００２２】
記憶装置に蓄積されたＥＰＧデータの検索が容易であり使用者の所望に応じた時点でのＥＰＧによる番組表の表示要求に即応し易く、且つ、ＴＳデータを処理するように設けられたデータ処理部などから供給される検索要求指令に応答してシステムコントローラの管理下で記憶装置を検索しＥＰＧデータを出力するため、後段の処理に適合したタイミングで所要のＥＰＧデータの受け渡しを行える。
【００２３】
（１０）前記システムコントローラは、前記選局復調部に取得させたＥＰＧデータをテーブル形式のＥＰＧテーブルとして編成するように前記記憶装置に蓄積させ、且つ、該蓄積された前記ＥＰＧテーブルのデータのうち一定期間を経過するデータを消去すると共に、イベントＩＤに関して前記ＥＰＧテーブルを検索し該検索の結果イベントＩＤが一致するデータについては更新しイベントＩＤが一致しないデータについては新規に登録するように前記記憶装置を制御することを特徴とする（１）に記載のデジタル放送受信装置。
【００２４】
上記（１０）のデジタル放送受信装置では（１）のデジタル放送受信装置による作用において特に、システムコントローラは、選局復調部に取得させたＥＰＧデータをテーブル形式のＥＰＧテーブルとして編成するようにして記憶装置に蓄積させる。更に、蓄積されたＥＰＧテーブルのデータのうち一定期間を経過するデータを消去させると共に、イベントＩＤに関して前記ＥＰＧテーブルを検索し該検索の結果イベントＩＤが一致するデータについては更新しイベントＩＤが一致しないデータについては新規に登録するように前記記憶装置を制御する。
【００２５】
記憶装置に蓄積されたＥＰＧデータの検索が容易であり使用者の所望に応じた時点でのＥＰＧによる番組表の表示要求に即応し易く、一定期間を経過したＥＰＧテーブルのデータは自動的に消去されるため、記憶装置の限られた記憶容量を有効に活用して利用の蓋然性が高いＥＰＧデータを優先的に蓄積しておくことが可能になる。更に、蓄積して一定期間を経過したデータを適切に更新し利用に備えることができる。
【発明を実施するための最良の形態】
【００２６】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としてのデジタル放送受信装置の構成を表すブロック図である。本実施の形態のデジタル放送受信装置において、アンテナ１００を通して選局制御部２００によって受信されたデジタル放送を選局処理し、該選局処理によって生成されたデータ（ＴＳ：トランスポートストリーム）に基づいて、表示処理部としての映像デコーダ３００、及び、画像合成器４００を通して表示器５００に表示可能な態様のデータを生成する。尚、ＴＳのうち音声のデータについては、音声デコーダ６００を通して復号され、スピーカ７００に供給される。
【００２７】
ここに、選局制御部２００は、例えば赤外光式のリモートコントローラから使用者による操作に応じて投射される信号を受ける受光部を備え、或いは、使用者による操作を直接的に受ける操作部材を有して構成される操作受付部としてのユーザインターフェース２１０、供給された選局指令に応じて選局復調処理を行ってＴＳを生成する選局復調部２２０と、ユーザインターフェース２１０で受け付けた選局操作を含む操作に応じて当該選局指令を生成して選局復調部２２０に供給すると共にこの選局復調部２２０によって得たデータのうち所定のデータを（比較的大容量で不揮発性の、例えばハードディスクのような）記憶装置２３０に蓄積させる制御を行う第１システムコントローラ２４０とを含んで構成される。第１システムコントローラ２４０はマイクロプロセッサを主体に構成される。
【００２８】
この第１システムコントローラ２４０は、選局復調部２２０に本デジタル放送受信装置が受信待機モードにあるときにも常時継続的に選局復調処理を行なわせてデータ放送コンテンツ及びＥＰＧデータ（ＥＰＧによる番組表を編成するための基礎となるデータ）を取得させ且つ該取得されたデータ放送コンテンツ及びＥＰＧデータを上述のような記憶装置２３０に蓄積させる制御を行う。
【００２９】
ここに、記憶装置２３０におけるこのようなデータの蓄積は、夫々テーブル形式に編成して行われ、ＥＰＧデータに関してはＥＰＧテーブルが、データ放送コンテンツに関してはデータ放送テーブルが各編成される。また、チャンネル情報（放送サービスの情報）に関してはサービス情報テーブルが編成される。
上述の選局復調部２２０からＴＳを得るについては、多重分離（ＤＥＭＵＸ）及び暗号復号器２５０が介挿されており、この多重分離及び暗号復号器２５０で複写防止の暗号の復号処理が行われる。また、この多重分離及び暗号復号器２５０も第１システムコントローラ２４０の管理下で動作する。即ち、第１システムコントローラ２４０は、ユーザインターフェース２１０からの使用者による操作を認識し、この認識に基づいて各所要の制御動作を行うが、必ずしも、別段の直接的指令を俟つことなく、選局復調部２２０に対しては選局（仮想チャンネル乃至放送サービスの選択）と復調処理を実行させ、番組情報を解析し、また、ＥＰＧデータを解析する等々、選局制御部２００の系全体を統括的に管理する。
【００３０】
一方、このような第１システムコントローラ２４０と連携して動作する（この第１システムコントローラ２４０に対してはスーパーバイザとしても機能する）第２システムコントローラ８１０を含むデータ処理部８００が設けられている。第２システムコントローラ８１０はＯＳ，ＣＣに基づいて動作し、データ放送の取り扱いや周辺機器の管理を行うように構成されている。
【００３１】
また、ＶＲＡＭ８３０を制御してここから読み出したキャラクタ等を既述の画像合成器４００で映像デコーダ３００の出力である映像に重畳させて表示器５００の画面にオンスクリーン表示させる。この第２システムコントローラ８１０もマイクロプロセッサを主体に構成される。
図示の例では、第２システムコントローラ８１０は、ＬＡＮを通しての外部とのインターフェースとして機能する第１外部インターフェース８２１、ＵＳＢを通しての外部とのインターフェースとして機能する第２外部インターフェース８２２、ＩＥＥＥ１３９４に準拠した方式を用いて外部とのインターフェースとして機能する第３外部インターフェース８２３と接続されて、これらのインターフェースを通して外部、即ち、本デジタル放送受信装置の周辺機器と結ばれ、その管理を行い、また、連携動作を行う。
【００３２】
図１の実施の形態においては、第１システムコントローラ２４０は、選局復調部２２０に本デジタル放送受信装置が受信待機モードにあるときにも常時継続的に選局復調処理を行なわせてデータ放送コンテンツ及びＥＰＧデータを取得させ且つ該取得されたデータ放送コンテンツ及びＥＰＧデータを上述のようにテーブル形式に編成し記憶装置２３０に蓄積させる制御を行う。
【００３３】
ユーザインターフェース２１０から受け付けた操作等によりＥＰＧ（番組表）を要求された場合、或いは、データ放送のサービスに係るコンテンツの表示を要求された場合、記憶装置２３０に蓄積された該当するデータを検索し速やかに表示器５００における表示に供され得るように出力する。このため、ＥＰＧによる番組表の表示やデータ放送のサービスに係るコンテンツの表示が、使用者によるこれらの表示を要求する操作後速やかに行われ得ることになる。
【００３４】
第１システムコントローラ２４０は、また、選局の頻度の相対的に高い選局の各局のサービスに係るデータ放送コンテンツを優先的に選局復調部２２０に取得させ、この取得に係るデータ放送コンテンツを記憶装置２３０に蓄積させることがでる。このため、記憶装置２３０に蓄積可能なデータ量に限りがあっても、或いはまた、各局のサービスに係るデータ放送コンテンツの取得を時分割的に行う場合にカバーし得るサービスの種類に限りがある場合であっても、使用者の選局傾向によく適合したデータを収集して蓄積することが可能になる。
【００３５】
更にまた、第１システムコントローラ２４０による制御下で、使用者の所望に応じた時点での選局とデータ要求操作に最も近接した時点からのデータ放送コンテンツが記憶装置２３０から検索されて出力される。このため、使用者の操作に速やかに応答するようにデータ放送コンテンツが表示され且つ表示されるデータ放送コンテンツは操作時点からの遅延時間が極小のものとなる。
【００３６】
第１システムコントローラ２４０は、また、選局復調部２２０に取得させたデータ放送コンテンツに係るＤＳＭ−ＣＣを解析して、該当する放送局（放送のサービス）を表すデータ、タイムスタンプ、及び、データコンテンツを含む各データをテーブル形式のデータ放送テーブルとして編成するようにして記憶装置２３０に蓄積させる。
更に、該蓄積されたデータ放送テーブルのデータ量が所定容量を超過するときには蓄積された時間が相対的に先行しているデータから順に消去するように記憶装置２３０を制御する。このため、記憶装置２３０に蓄積されたデータの検索が容易であり使用者の所望に応じた時点での選局とデータ要求操作に即応でき、且つ、相対的に古いデータから消去するため記憶装置２３０の限られた記憶容量を有効に活用して使用者の操作時点に相対的に近い時点で取得した情報を優先的に残して利用に供することができる。
【００３７】
既述のように、第１システムコントローラ２４０は、選局復調部２２０に取得させたＥＰＧデータをテーブル形式のＥＰＧテーブルとして編成するようにして記憶装置に蓄積させる。更に、蓄積されたＥＰＧテーブルのデータのうち一定期間を経過するデータを消去させる。記憶装置２３０に蓄積されたＥＰＧデータの検索が容易であり使用者の所望に応じた時点でのＥＰＧによる番組表の表示要求に即応し易く、一定期間を経過したＥＰＧテーブルのデータは自動的に消去されるため、記憶装置２３０の限られた記憶容量を有効に活用して利用の蓋然性が高いＥＰＧデータを優先的に蓄積しておくことが可能になる。
【００３８】
上述のようなテーブル形式のＥＰＧテーブルに対するデータの検索は、第１システムコントローラ２４０の管理下で動作する選局制御部２００で生成されたＴＳのデータを処理するように設けられたデータ処理部８００（その第２システムコントローラ８１０）などから供給される検索要求指令に応答して検索し該当するＥＰＧデータを出力するように記憶装置２３０を制御することによって行われる。
【００３９】
記憶装置２３０に蓄積されたＥＰＧデータの検索が容易であり使用者の所望に応じた時点でのＥＰＧによる番組表の表示要求に即応し易く、且つ、ＴＳデータを処理するように設けられたデータ処理部８００などから供給される検索要求指令に応答して第１システムコントローラ２４０の管理下で記憶装置２３０を検索しＥＰＧデータを出力するため、後段の処理に適合したタイミングで所要のＥＰＧデータの受け渡しを行える。
【００４０】
また、第１システムコントローラ２４０は、蓄積されたＥＰＧテーブルのデータのうち一定期間を経過するデータを消去させると共に、イベントＩＤに関して前記ＥＰＧテーブルを検索し、検索の結果イベントＩＤが一致するデータについては更新し、イベントＩＤが一致しないデータについては新規に登録するように記憶装置２３０を制御する。
記憶装置２３０に蓄積されたＥＰＧデータの検索が容易であり使用者の所望に応じた時点でのＥＰＧによる番組表の表示要求に即応し易く、一定期間を経過したＥＰＧテーブルのデータは自動的に消去されるため、記憶装置２３０の限られた記憶容量を有効に活用して利用の蓋然性が高いＥＰＧデータを優先的に蓄積しておくことが可能になる。更に、蓄積して一定期間を経過したデータを適切に更新しその利用に備えることができる。
【００４１】
図２は、図１のデジタル放送受信装置の変形例を表すブロックである。図２では、その構成例において図１の構成との相違点である選局制御部（その選局復調部周りの構成）に関する部分のみを表してある。図２において図１との対応部は同一の符号によって示し、それら各部の説明は省略する。選局制御部２００に関し、図２の例では、第１システムコントローラ２４０から供給される各選局指令に応じて相互に独立して選局復調動作を行うことが可能な複数（図示の例では２つ）の選局復調機能部、即ち、第１選局復調機能部２２１、及び、第２選局復調機能部２２２を含んで構成されている。
【００４２】
また、これに対応して、第１選局復調機能部に対する第１ＤＥＭＵＸ及び暗号復号器２５１、第２選局復調機能部に対する第２ＤＥＭＵＸ及び暗号復号器２５２が設けられると共に、これら第１ＤＥＭＵＸ及び暗号復号器２５１、及び、第２ＤＥＭＵＸ及び暗号復号器２５２の出力を選択的に後段の映像デコーダ、音声デコーダに接続する切換器９００が設けられている。
【００４３】
尚、第１選局復調機能部２２１、第２選局復調機能部２２２、第１ＤＥＭＵＸ及び暗号復号器２５１、第２ＤＥＭＵＸ及び暗号復号器２５２、及び、切換器９００は、何れも、第１システムコントローラ２４０の管理下で動作する。
図２の構成によれば、相互に独立して選局復調動作を行うことが可能な複数の選局復調機能部を備えた、所謂ダブルチューナ或いはマルチチューナの構成によって、これら複数のうちの一の選局復調機能部（２２１又は２２２）によって選局された番組を視聴中であっても、他の選局復調機能部（２２２又は２２１）の出力に基づいて継続的に選局復調処理を行なわせてデータ放送コンテンツ及びＥＰＧデータを取得して記憶装置に蓄積することができる。
【図面の簡単な説明】
【００４４】
【図１】本発明の実施形態としてのデジタル放送受信装置の構成を表わすブロック図である。
【図２】図１のデジタル放送受信装置の変形例を表すブロック図である。
【符号の説明】
【００４５】
１００…アンテナ  ２００…選局制御部  ２１０…ユーザインターフェース  ２２０…選局復調部  ２２１…第１選局復調機能部  ２２２…第２選局復調機能部  ２３０…記憶装置  ２４０…第１システムコントローラ  ２５０…多重分離（ＤＥＭＵＸ）及び暗号復号器  ２５１…第１ＤＥＭＵＸ及び暗号復号器  ２５２…第２ＤＥＭＵＸ及び暗号復号器  ３００…映像デコーダ  ４００…画像合成器  ５００…表示器  ６００…音声デコーダ  ７００…スピーカ  ８００…データ処理部  ８１０…第２システムコントローラ  ８２１…第１外部インターフェース  ８２２…第２外部インターフェース  ８２３…第３外部インターフェース  ８３０…ＶＲＡＭ  ９００…切換器
【図１】
2006262089.tif 000003
【図２】
2006262089.tif 000004